(57)【要約】【課題】表示部の表示の視認性を向上させると共に、表示部を挟んでの情報共有が容易となる透明ディスプレイ装置を提供する。【解決手段】透明ディスプレイ装置１００は、互いに対面する第１及び第２の表示面１１０ａ、１１０ｂ、及び第１及び第２の表示面１１０ａ、１１０ｂの間に配置されて、第１及び第２の表示面１１０ａ、１１０ｂの両側に光を出力する発光層を備える透明ディスプレイパネル１１０と、第１及び第２の表示面１１０ａ、１１０ｂの少なくとも一方側に取り付けられ、発光層から入射する光を透過させ、且つ発光層と異なる光源から入射する光を拡散させるヘイズ層１２０とを備える。【選択図】図１
2013058406.tif 000002
【特許請求の範囲】
【請求項１】
互いに対面する第１及び第２の表示面、及び前記第１及び第２の表示面の間に配置されて、前記第１及び第２の表示面の両側に光を出力する発光層を備える表示部と、
前記第１及び第２の表示面の少なくとも一方側に取り付けられ、前記発光層から入射する光を透過させ、且つ前記発光層と異なる光源から入射する光を拡散させるヘイズ層とを備える
透明ディスプレイ装置。
【請求項２】
前記ヘイズ層の透過率は、５％以上で４０％未満である
請求項１に記載の透明ディスプレイ装置。
【請求項３】
前記ヘイズ層は、透明樹脂内に微粒子を拡散させた層、又は繊維を編んで構成される層である
請求項１又は２に記載の透明ディスプレイ装置。
【請求項４】
前記ヘイズ層は、高分子液晶または帯電粒子を含む層である
請求項１又は２に記載の透明ディスプレイ装置。
【請求項５】
該透明ディスプレイ装置は、さらに、前記ヘイズ層の前記表示部と反対側の面に取り付けられるタッチパネルを備え、
前記ヘイズ層は、前記タッチパネルで選択された領域のヘイズ値を選択的に増大させる
請求項４に記載の透明ディスプレイ装置。
【発明の詳細な説明】
【技術分野】
【０００１】
本発明は、表示部の表示を両側から視認でき、かつ表示面の向こう側が透けて見える透明ディスプレイ装置に関するものである。
【背景技術】
【０００２】
近年、有機ＥＬなどの発光型ディスプレイの電極部の少なくとも一部分にＩＴＯなどの透明電極を用いることにより、背景が透けて見える両面発光型の透明ディスプレイ装置が注目されている（例えば、特許文献１参照）。
【先行技術文献】
【特許文献】
【０００３】
【特許文献１】特開２００７−７１９４８号公報
【発明の概要】
【発明が解決しようとする課題】
【０００４】
ところで、透明ディスプレイ装置は、表示部の前面側にいる人と後面側にいる人とが、表示部の表示を見ながら、対面してコミュニケーションすることが可能である。しかし、表示部の表示と表示部を透過した背景とが重なると、上記表示の視認性が低下する。
【０００５】
本発明は、上記従来の課題を解決するもので、表示部の表示の視認性を向上させると共に、表示部を挟んでの情報共有が容易となる透明ディスプレイ装置を提供することを目的とする。
【課題を解決するための手段】
【０００６】
本発明の一形態に係る透明ディスプレイ装置は、互いに対面する第１及び第２の表示面、及び前記第１及び第２の表示面の間に配置されて、前記第１及び第２の表示面の両側に光を出力する発光層を備える表示部と、前記第１及び第２の表示面の少なくとも一方側に取り付けられ、前記発光層から入射する光を透過させ、且つ前記発光層と異なる光源から入射する光を拡散させるヘイズ層とを備える。
【発明の効果】
【０００７】
本発明によれば、透明ディスプレイ装置を挟んで対話する際に、表示の視認性を向上させると共に、情報共有が容易となる透明ディスプレイ装置を提供することができる。
【図面の簡単な説明】
【０００８】
【図１】実施の形態１に係る透明ディスプレイ装置の概略断面図である。
【図２】透明ディスプレイパネルの断面構造を示す図である。
【図３】ヘイズ層に入射する光の進行方向を示す図である。
【図４】第１の表示面の一部をヘイズ層で覆う例を示す図である。
【図５】実施の形態２に係る透明ディスプレイ装置の概略断面図である。
【図６】帯電粒子を用いたヘイズ層の例であって、ヘイズ値が高い状態の図である。
【図７】帯電粒子を用いたヘイズ層の例であって、ヘイズ値が低い状態の図である。
【図８】ヘイズ層の一部を選択的に高ヘイズ領域にした例を示す図である。
【図９】ＰＤＬＣを用いたヘイズ層の例であって、ヘイズ値が高い状態の図である。
【図１０】ＰＤＬＣを用いたヘイズ層の例であって、ヘイズ値が低い状態の図である。
【図１１】従来の透明ディスプレイ装置の概略斜視図である。
【発明を実施するための形態】
【０００９】
本発明の一形態に係る透明ディスプレイ装置は、互いに対面する第１及び第２の表示面、及び前記第１及び第２の表示面の間に配置されて、前記第１及び第２の表示面の両側に光を出力する発光層を備える表示部と、前記第１及び第２の表示面の少なくとも一方側に取り付けられ、前記発光層から入射する光を透過させ、且つ前記発光層と異なる光源から入射する光を拡散させるヘイズ層とを備える。
【００１０】
上記構成において、「発光層と異なる光源」とは、例えば、表示部の向こう側に位置する光源（典型的には、背景）、及び／又は、表示部の手前側に位置する光源（典型的には、透明ディスプレイ装置の前に立っているユーザ自身）を指す。そして、上記構成によれば、発光層と異なる光源からの光の影響を受けずに、透明ディスプレイ装置に表示される画像をはっきり見ることができる。
【００１１】
好ましくは、前記ヘイズ層の透過率は、５％以上で４０％未満であってもよい。
【００１２】
ヘイズ層の透過率を上記の範囲内とすることで、発光層からの光を選択的に透過させ、発光層以外の光源からの光を遮断することができる。なお、本明細書中の「遮断」とは、発光層以外の光源からの光を全く通さないことまでを必要とせず、表示部に表示される画像がはっきり見える程度に減光されればよい。
【００１３】
一例として、前記ヘイズ層は、透明樹脂内に微粒子を拡散させた層、又は繊維を編んで構成される層であってもよい。
【００１４】
他の例として、前記ヘイズ層は、高分子液晶または帯電粒子を含む層であってもよい。
【００１５】
さらに、該透明ディスプレイ装置は、前記ヘイズ層の前記表示部と反対側の面に取り付けられるタッチパネルを備えてもよい。そして、前記ヘイズ層は、前記タッチパネルで選択された領域のヘイズ値を選択的に増大させてもよい。
【００１６】
上記構成によれば、例えば、実際に画像が表示されている領域のヘイズ値を相対的に高くし、それ以外の領域を相対的に低くすることにより、透明ディスプレイ装置を挟んで対面するユーザが、第１及び第２の表示面に表示される画像を見ながら、コミュニケーションを図ることが可能となる。
【００１７】
以下に、本発明の一実施の形態を説明するが，当然ながら本発明はこれらの形態に限定されるものでなく、本発明の技術的範囲を逸脱しない範囲で適宜変更して実施することができる。
【００１８】
（実施の形態１）
以下、本発明の一実施の形態について、図面を参照しながら説明する。なお、以下では、説明上「透明」は、「透明または透光性を有する」という概念を含むものとする。また、「透過率」は、パネルに入射される可視光の明るさに対する、パネルを通してでる可視光の明るさの割合を指す。
【００１９】
また、「ヘイズ」とは、フィルムの透明性に関する値で、濁度（曇度）を表す。より具体的には、「ヘイズ」とは、拡散透過光の全光線透過光に対する割合から求められるもので、表面の粗さの影響を受ける。ヘイズの測定方法は、例えば、ＪＩＳ−Ｋ−７１０５、ＪＩＳ−Ｋ−７１３６に準じており、ヘイズメーターで計測し、下記式１で求められる。なお、下記式１のＴｄは拡散透過率を、Ｔｔは全光線透過率を指す。
【００２０】
ヘイズ（％）＝（Ｔｄ／Ｔｔ）×１００      ・・・・・（式１）
【００２１】
さらに、本明細書において、画像とは、表示装置に表示可能なあらゆるコンテンツを指し、典型的には、動画像、静止画像、及び文字情報のいずれか、又はこれらの組み合わせを指す。動画像としては、放送波映像等の１フレーム全体の画像であってもよく、動的なオブジェクト画像であってもよい。また、静止画像としては、例えば、写真やイラストなどを示す画像がある。
【００２２】
図１１は、従来の透明ディスプレイ装置１０の概略斜視図である。この透明ディスプレイ装置１０は両面発光型であるので、図１１に示されるように、透明ディスプレイ装置１０の手前側にいるユーザ３０及び奥側にいるユーザ４０の両方が表示部２０に表示されている画像を視認することができる。
【００２３】
また、この透明ディスプレイ装置１０は透過型であるので、手前側にいるユーザ３０は、表示部２０に表示される画像２１と、透明ディスプレイ装置１０の後ろ側（ユーザ４０の側）の像（背景）との両方を見ることができる。同様に、奥側にいるユーザ４０は、表示部２０に表示される画像２１と、透明ディスプレイ装置１０の前側（ユーザ３０の側）の像との両方を見ることができる。
【００２４】
それにより、ユーザ３０、４０は、表示部２０に表示される画像２１を見ながら、互いにコミュニケーションを図ることができる。しかしながら、背景からの光が外光のように強いと、表示部２０に表示されている画像２１の暗い部位も影響を受けて明るくなり、コントラストの低い見えにくい画像２１となる。また、表示される画像２１の色も白っぽくなるため、視認性が大きく低下するという課題が発生する。
【００２５】
そこで、図１〜図４を参照して、本発明の実施の形態１に係る透明ディスプレイ装置１００を説明する。図１は、実施の形態１に係る透明ディスプレイ装置１００の概念を概略的に示す断面図である。
【００２６】
本発明の実施の形態１に係る透明ディスプレイ装置１００は、図１に示されるように、透明ディスプレイパネル（表示部）１１０と、透明ディスプレイパネル１１０の少なくとも一方側の面（表示面）に取り付けられるヘイズ層１２０とを備える。
【００２７】
図１に示される透明ディスプレイパネル１１０は、第１の表示面１１０ａと第２の表示面１１０ｂとを有する。透明ディスプレイパネル１１０の一方側の面（図１の左側の面）が第１の表示面１１０ａとなり、透明ディスプレイパネル１１０の他方側の面（図１の右側の面）が第２の表示面１１０ｂとなる。すなわち、第１及び第２の表示面１１０ａ、１１０ｂは、透明ディスプレイパネル１１０の両側の面を構成しており、互いに対面している。
【００２８】
透明ディスプレイパネル１１０は、図２に示されるように、ガラス基板１１１上にＡｌ配線１１２が形成され、Ａｌ配線１１２上にＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）の透明なアノード電極１１３が積層され、アノード電極１１３上に発光層１１４が積層され、発光層１１４上に光透過性のカソード電極１１５が積層され、カソード電極１１５上に保護層１１６が積層され、保護層１１６上（すなわち、最上部）にガラス基板１１７が取り付けられた構造となっている。
【００２９】
発光層１１４は、例えば、光を発する有機ＥＬ層である。また、カソード電極１１５もアノード電極１１３と同様に、ＩＴＯ等からなる透明電極で構成することができる。カソード電極１１５側の透明な保護層１１６は、発光層１１４を劣化させる水分の浸入を防ぐものである。
【００３０】
なお、本実施の形態１における透明ディスプレイパネル１１０の例として、自発光型表示パネルである有機ＥＬパネルを用いたが、ＬＣＤ（Ｌｉｑｕｉｄ  Ｃｒｙｓｔａｌ  Ｄｉｓｐｌａｙ）パネル、ＰＤＰ（Ｐｌａｓｍ  Ｄｉｓｐｌａｙ  Ｐａｎｅｌ）、無機ＥＬを用いたパネル、又は、無機ＬＥＤを用いたパネルを用いてもよい。無機ＥＬとしては、例えば、ＺｎＳ、ＣｄＳ、ＺｎＳｅ(Ｇａドープ：Ｇａ２Ｓ３、Ｇａ２Ｓｅ３、ＧａＡｓ、Ａｌドープ：Ａｌ２Ｓ３、Ａｌ２Ｓｅ３、Ｉｎドープ：Ｉｎ２Ｓ３、Ｉｎ２Ｓｅ３)等がある。また、無機ＬＥＤとしては、Ｐ型とＮ型の不純物をドープしたＧａＮ半導体等がある。
【００３１】
このような構造の透明ディスプレイパネル１１０において、アノード電極１１３とカソード電極１１５とに所定の電圧を印加すると、発光層１１４に所定の電流が供給され、発光層１１４自体が発光する。発光層１１４から放出された光の一部は、光透過性のカソード電極１１５を経由して上部方向（第１の表示面１１０ａ側）に出力される。一方、発光層１１４から放出された光の他の一部は、下部側の透明なアノード電極１１３とガラス基板１１１とを透過して下部方向（第２の表示面１１０ｂ側）にも出力される。このようにして、発光層１１４から放出される光が、アノード電極１１３側及びカソード電極１１５側の両面から放出される。
【００３２】
また、透明ディスプレイパネル１１０は、透明なフラット型パネルであり、第１及び第２の表示面１１０ａ、１１０ｂに何も表示されていない場合に、向こう側が透けて見えるように構成されている。すなわち、第１の表示面１１０ａ側にいるユーザ（例えば、図１０のユーザ３０）は、第２の表示面１１０ｂ側にいるユーザ４０及び背景を透明ディスプレイパネル１１０を通して見ることができる。
【００３３】
さらに、透明ディスプレイパネル１１０に入射する光は、内部の保護層１１６、Ａｌ１２、アノード電極１１３、及びカソード電極１１５などで反射して、入射面側から出力される。その結果、例えば、図１０のユーザ３０から出た光（ユーザ３０で反射した光）が透明ディスプレイパネル１１０に入射し、内部で反射して戻ってくることにより、ユーザ３０には、第１の表示面１１０ａ付近に自分の姿が映っているように見える。この反射像が第１の表示面１１０ａに表示される画像に重なって、さらにみえにくくなるという課題が発生する。
【００３４】
そこで、図１の例のように、ヘイズ層１２０は、透明ディスプレイパネル１１０の第１の表示面１１０ａ側に取り付けられる。しかしながら、第２の表示面１１０ｂ側にヘイズ層１２０を取り付けてもよいし、第１及び第２の表示面１１０ａ、１１０ｂの両方にヘイズ層１２０を取り付けてもよい。
【００３５】
ここで、ヘイズ層１２０としては、透過性と散乱性とを有する必要がある。ヘイズ層１２０の具体的な構成の例としては、例えば、透明樹脂内に微粒子を拡散させた層、トレーシングペーパーのように繊維を編んで構成される層、すりガラスのように表面に微細な凹凸を付加した層とすることができる。
【００３６】
なお、上記構成のヘイズ層１２０は、例えば、従来の液晶テレビの表示面に取り付けられている反射防止膜（ＡＧフィルタ等）とは、その目的も構成も大きく異なる。具体的には、従来の反射防止膜は表示面への映り込みを防止するためのものであり、非常に高い透過率（例えば、９０％以上）に設定される。
【００３７】
これに対して、本実施の形態１に係るヘイズ層１２０の主な目的は、透明ディスプレイパネル１１０の向こう側にある光源（背景）からの透過光を遮断し、発光層１１４から放出される光を選択的に透過させることであり、その透過率は、５％以上で４０％未満であることが望ましく、７％以上で２０％未満であることがより望ましく、１０％前後（例えば、９％以上で１５％未満）であることがさらに望ましい。
【００３８】
図３を参照して、ヘイズ層１２０の構成及び効果を詳細に説明する。図３は、ヘイズ層１２０に入射する光の進行方向を示す図である。まず、図３に示されるヘイズ層１２０は、入射光を透過させる透明樹脂１２１と、透明樹脂１２１に入射する光を拡散させる微粒子１２２とで構成される。より具体的には、図３に示されるヘイズ層１２０は、透明樹脂１２１内に微粒子１２２を拡散させて構成される。
【００３９】
また、図３には、３つの光源Ａ、Ｂ、Ｃが図示されている。光源Ａは、例えば、透明ディスプレイパネル１１０の発光層１１４である。また、光源Ｂは、図１０のユーザ４０の側の任意の光源（例えば、背景）である。そして、光源Ｃは、図１０のユーザ３０側の任意の光源（例えば、ユーザ３０自身）である。
【００４０】
透明樹脂１２１は、透過率が極めて高い。これに対して、微粒子１２２は、光の角度を変化させる機能と、光を反射し分散させる機能とを有する。その結果、図３に示されるように、ヘイズ層１２０に近い光源Ａから放出される光は、微粒子１２２の間を通り抜けて光源Ｃの位置（すなわち、ユーザ３０の位置）に到達する。すなわち、微粒子１２２による散乱の影響は比較的少ない。
【００４１】
これに対して、ヘイズ層１２０から離れた位置の光源Ｂから放出される光は、ヘイズ層１２０に到達した時点で既に広範囲に拡散しており、この拡散光がさらに微粒子１２２で散乱される。その結果、光源Ｂからの光は、ヘイズ層１２０を透過して光源Ｃの位置まで到達しにくい。すなわち、光源Ｃの位置にいるユーザは、透明ディスプレイ装置１００の向こう側の像（背景）をほとんど認識することがない。
【００４２】
同様に、光源Ｃから放出される光は、ヘイズ層１２０に到達するまでに拡散しており、ヘイズ層１２０の表面および内部でさらに散乱される。その結果、光源Ｃの位置にいるユーザは、第１の表示面１１０ａに映る自分自身の像をほとんど認識できなくなる。
【００４３】
このように、ヘイズ層１２０は、近い位置（図３の光源Ａ）から放出される光をより多く透過させ、遠い位置（図３の光源Ｂ、Ｃ）から放出される光をより多く拡散させる機能を有する。その結果、光源Ｃの位置にいるユーザは、光源Ｂ、Ｃからの光に邪魔されることなく、光源Ａからの光を認識することができる。すなわち、このユーザは、背景や自分自身の像の影響を受けずに、第１の表示面１１０ａに表示される画像をはっきりと見ることができる。
【００４４】
図４は、第１の表示面１１０ａに取り付けられたヘイズ層１２０の他の例を示す図である。図４に示されるヘイズ層１２０は、第１の表示面１１０ａの一部に選択的に設けられている。
【００４５】
上記構成の場合において、例えば、第１及び第２の表示面１１０ａ、１１０ｂのヘイズ層１２０に対面する領域に、選択的に画像を表示させる。一方、第１及び第２の表示面１１０ａ、１１０ｂのヘイズ層１２０に対面する領域以外には何も表示されないので、透明ディスプレイ装置１００の向こう側にいるユーザが透過して見える。このため、透明ディスプレイ装置１００を挟んで対面するユーザは、互いのアイコンタクトや動作を確認することができる。これにより、透明ディスプレイ装置１００を挟んで対面するユーザは、第１及び第２の表示面１１０ａ、１１０ｂに表示される同一の画像を見ながら、互いにコミュニケーションをとることができる。
【００４６】
一方、ヘイズ層１２０が第１の表示面１１０ａの全面を覆っている場合は、透明ディスプレイ装置１００の向こう側にいるユーザが見えないので、透明ディスプレイ装置１００に表示される画像を見ながらコミュニケーションをとろうとすると、透明ディスプレイ装置１００の同じ側で表示画像を見る必要がある。しかしながら、この場合には、各ユーザの視線が同じ方向を向く必要があるので、互いにアイコンタクトしにくい。従って、ヘイズ層１２０は、第１及び第２の表示面１１０ａ、１１０ｂの一方に部分的に配置されているのが好ましい。
【００４７】
ヘイズ層１２０の透過率と透明ディスプレイ装置１００の向こう側のユーザの見え方とについて、屋内においてＮＤフィルターと両面発光有機ＥＬディスプレイとを重ねて検討した。このとき、ＮＤフィルターの透過率が２０％以上では向こう側のユーザの顔の細部がわかる。これに対して、１０〜２０％では表情はわかるが肌色がみえにくくなり、逆に自分の反射像がじゃまをする。一方、１０％以下では、表情ではなくシルエットとして認知され、手の動作や顔の動きなどわかるが、表情まではわからない。そのため、表情の変化を知りたい場合は、透過率を２０％以上にするか、顔に照明をあてて見やすくする必要がある。
【００４８】
上記構成の透明ディスプレイ装置１００の場合、背景と表示画像とが重なり、どこに焦点を合わせればよいか迷う場合がある。そこで、画像を表示する領域をヘイズ値の高い領域に固定することにより、透明ディスプレイ装置１００を挟んで対面するユーザが同じ表示画像を認識しやすく、且つ互いにコミュニケーションもしやすくなる。
【００４９】
（実施の形態２）
次に、図５〜図８を参照して、本発明の実施の形態２に係る透明ディスプレイ装置２００を説明する。図５は、実施の形態２に係る透明ディスプレイ装置２００の概略断面図である。
【００５０】
透明ディスプレイ装置２００は、図５に示すように、透明ディスプレイパネル１１０と、ヘイズ層２２０と、タッチパネル２３０とを備える。なお、透明ディスプレイパネル１１０の構成は、図２を用いて既に説明したので、再度の説明は省略する。また、タッチパネル２３０は、ヘイズ層２２０の外側の面（透明ディスプレイパネル１１０と反対側の面）に取り付けられている。
【００５１】
図６及び図７を参照して、本発明の実施の形態２に係るヘイズ層２２０を説明する。図６に示されるヘイズ層２２０は、溶媒２２１と、帯電粒子２２２と、電極２２３、２２４とで構成され、溶媒２２１中に分散させた帯電粒子２２２の分散状態を変化させることによって、ヘイズ値を調整する。
【００５２】
より具体的には、電極２２３は、図６及び図７に示すように、複数の小さな領域に区画されている。そして、各領域には、帯電粒子２２２を分散させた溶媒２２１が封入されると共に、中央に電極２２４が設置されている。なお、図６には２つの領域のみを図示しているが、実際には、多数の領域がマトリクス状に配列されている。また、各領域は、例えば、数十画素〜数百画素を含むことができる程度の大きさです。
【００５３】
そして、このヘイズ層２２０は、電極２２３、２２４の間に電圧を印加することによって、領域毎にヘイズ値を変更することができる。具体的には、電極２２３、２２４を同電位（０Ｖ）にすると、図６に示すように帯電粒子２２２が溶媒２２１中に分散する。これにより、上から見ると白い帯電粒子２２２が分散して透過率が下がる。すなわち、帯電粒子２２２により光が散乱されてヘイズ値が高くなる。
【００５４】
一方、電極２２４にマイナスの電位をかけると、負に帯電した帯電粒子２２２が反発して、図７に示すように、電極２２３の内壁面（隔壁）に付着する。これにより、透過率が上がり、ヘイズ値を低下させることができる。
【００５５】
そして、上記構成のヘイズ層２２０は、各領域の電極２２４の電位を制御することにより、ヘイズ値を領域毎に制御することができる。その結果、ヘイズ値の高い領域と、ヘイズ値の低い領域とを動的に変更することができる。なお、帯電粒子２２２の直径、溶媒２２１中に分散させる帯電粒子２２２の量（数）、および隔壁の厚みを調節することで、ヘイズ値を変化させることが可能である。
【００５６】
上記構成の透明ディスプレイ装置２００において、ユーザは、ヘイズ層２２０の上に取り付けられたタッチパネル２３０にタッチして、ヘイズ値を高くしたい部位を特定すればよい。例えば図８に示されるように、ユーザがヘイズ値を高くしたい領域を囲むようにタッチパネル２３０をなぞると、その軌跡で囲まれた領域（高ヘイズ領域２２５）のヘイズ値が相対的に高く、それ以外の領域（低ヘイズ領域２２６）のヘイズ値が相対的に低くなるように、電圧を印加する領域を制御する。なお、タッチパネル２３０で特定された領域のヘイズ値を、その他の領域より低くするように制御してもよいことは言うまでもない。
【００５７】
このように、ヘイズ値を変化させることのできるヘイズ層２２０と、タッチパネル２３０とを組み合わせることによって、ヘイズ値を高くしたい（若しくは、低くしたい）位置や大きさを自由に変化させることができる。図８の例では、高ヘイズ領域２２５では、第１及び第２の表示面１１０ａ、１１０ｂに表示される画像の視認性が高まる。一方、低ヘイズ領域２２６では、透明ディスプレイ装置２００の向こう側にいる相手の顔の表情や動作を見ることにより、コミュニケーションしやすくなる。
【００５８】
なお、タッチパネル２３０としては、抵抗膜方式や静電容量方式のように、直接指を表面に接触させた時に変化する抵抗変化や静電容量の変化で位置を検出する方式も使用できる。
【００５９】
また、赤外線遮光方式のように、表示面の周囲にＬＥＤを配置し、光の遮断位置からタッチ位置を検知する方式を用いてもよい。これによれば、表示面上に検出素子を配置する必要がなくなるので、表示面の透過率を低下させずに、ヘイズ調整位置を決めることができる。
【００６０】
また、指以外でもヘイズ層２２０の位置を決定する他の方法として、赤外線検出機をディスプレイ側に設けておき、ワイヤレスリモコンの赤外線を検出して位置を決定してもよい。これにより、離れた位置からのヘイズ制御も可能となり、用途も広がる。
【００６１】
（実施の形態３）
次に、図９及び図１０を参照して、本発明の実施の形態３に係るヘイズ層３２０を説明する。図９及び図１０は、実施の形態３に係るヘイズ層３２０の例を示す図である。実施の形態３に係るヘイズ層３２０は、実施の形態２に係るヘイズ層２２０と同様に、ヘイズ値を変化させることができるものであり、例えば、図８のヘイズ層２２０と置き換えて使用することができる。
【００６２】
ヘイズ層３２０として、電圧で制御できるＰＤＬＣ（高分子分散型液晶：Ｐｏｌｙｍｅｒ  Ｄｉｓｐｅｒｓｅｄ  Ｌｉｑｕｉｄ  Ｃｒｙｓｔａｌ）３２１を用いることができる。このヘイズ層３２０は、電圧のオン、オフでヘイズ値を変えることができる。具体的には、図９及び図１０に示すように、ＰＤＬＣ３２１を透明電極３２２、３２３ではさんで、この透明電極３２２、３２３に印加する電圧を制御することにより、ヘイズ層３２０のヘイズ値を動的に変更することができる。
【００６３】
より具体的には、電圧を印加しない時は、図９に示すように、ＰＤＬＣ３２１内の液晶分子が不規則に配列しているため、光を散乱してヘイズの高い層となり、透過率は下がる。一方、電圧を印加することにより、図１０に示すように、ＰＤＬＣ３２１内の液晶分子が規則的に配列するので、光が散乱しなくなるためヘイズの低い層となり、透過率が高くなる。
【００６４】
そして、実施の形態３に係るヘイズ層３２０は、図９及び図１０に示されるＰＤＬＣ３２１をマトリクス状に配列して構成される。そして、各ＰＤＬＣ３２１に印加する電圧を制御することにより、ヘイズ値の高い領域と、ヘイズ値の低い領域とを動的に変更することができる。すなわち、図９及び図１０に示される構成は、図６及び図７に示される１つの領域に対応する。
【００６５】
このように、実施の形態３に係るヘイズ層３２０は、印加電圧を変えることによりヘイズ値および透過率を変えることが出来るため、多段階に透過率を変えて見せることも可能となる。ヘイズ値が高いと透過率は低くなる（一例：ヘイズ９０％では透過率６０％）。なお、透明性がすぐれると評価されるのは、ヘイズ値が１％未満であり、高透明性はヘイズ値が５％未満とされており、この場合、８０％以上の透過率が得られる。
【００６６】
上記実施の形態をそれぞれ組み合わせてもよい。
【００６７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００６８】
本発明にかかる透光性を有する透明ディスプレイ装置は、ユーザが透明ディスプレイ装置を挟んで対話する際に、表示の視認性を向上させると共に情報共有が容易となり有用である。
【符号の説明】
【００６９】
１０，１００，２００  透明ディスプレイ装置
２０  表示部
２１  画像
３０，４０  ユーザ
１１０  透明ディスプレイパネル
１１０ａ  第１の表示面
１１０ｂ  第２の表示面
１１１  ガラス基板
１１２  Ａｌ配線
１１３  アノード電極
１１４  発光層
１１５  カソード電極
１１６  保護層
１１７  ガラス基板
１２０，２２０，３２０  ヘイズ層
１２１  透明樹脂
１２２  微粒子
２２１  溶媒
２２２  帯電粒子
２２３，２２４  電極
２２５  高ヘイズ領域
２２６  低ヘイズ領域
２３０  タッチパネル
３２１  ＰＤＬＣ
３２２，３２３  透明電極
【図１】
2013058406.tif 000003
【図２】
2013058406.tif 000004
【図３】
2013058406.tif 000005
【図４】
2013058406.tif 000006
【図５】
2013058406.tif 000007
【図６】
2013058406.tif 000008
【図７】
2013058406.tif 000009
【図８】
2013058406.tif 000010
【図９】
2013058406.tif 000011
【図１０】
2013058406.tif 000012
【図１１】
2013058406.tif 000013